(57)【要約】【課題】従来の携帯電話機は、高機能なカラーディスプレイ部を備えているにもかかわらず、格納状態においては閉じられた状態であるためになんら役に立っていなかったので、非使用状態におけるディスプレイ部をあたかも装飾品のように活用することのできる機構を提案すること。【解決手段】本発明にかかる携帯電話機は、キー入力部を備えた第１装置と、ディスプレイ部を備えた第２装置とを折り畳み自在に連結した携帯電話機において、前記第２装置のディスプレイ部を表側に向けて露出させた状態で折り畳み可能な連結機構を備えるという手段を講じ、第１装置もしくは第２装置にストラップを備えた。【選択図】　　　　　　図１
2004023713.tif 000002
【特許請求の範囲】
【請求項１】
キー入力部を備えた第１装置と、ディスプレイ部を備えた第２装置とを折り畳み自在に連結した携帯電話機において、
前記第２装置のディスプレイ部を表側に向けて露出させた状態で折り畳み可能な連結機構を備えたことを特徴とする携帯電話機。
【請求項２】
第１装置もしくは第２装置にストラップを備えたことを特徴とする請求項１に記載の携帯電話機。
【発明の詳細な説明】
【０００１】
【発明の属する技術分野】
本発明は、折り畳み可能な携帯電話機に関するものである。
【０００２】
【従来の技術】
従来より、キー入力部を備えた第１装置と、ディスプレイ部を備えた第２装置とを折り畳み自在に連結した携帯電話機が販売されている。
電話機能を使用する状態においては、第１装置と第２装置とを開いた状態で使用する。この状態では、キー入力部を操作することによって電話番号の入力等の操作を行いつつ、ディスプレイ部に表示される内容を視認することができる。
そして、非使用状態で格納するときには、第１装置と第２装置とを折り畳んだ状態で格納する。この状態では、キー入力部は第２装置によって覆われているので、誤ってキーが操作されることが防止される。
【０００３】
【発明が解決しようとする課題】
ところが、上述したような従来の携帯電話機は、高機能なカラーディスプレイ部を備えているにもかかわらず、格納状態においては閉じられた状態であるために、なんら役に立っていない。
【０００４】
そこで、本発明は、非使用状態におけるディスプレイ部をあたかも装飾品のように活用することのできる機構を提案するものである。
【０００５】
【課題を解決するための手段】
本発明にかかる携帯電話機は、キー入力部を備えた第１装置と、ディスプレイ部を備えた第２装置とを折り畳み自在に連結した携帯電話機において、前記第２装置のディスプレイ部を表側に向けて露出させた状態で折り畳み可能な連結機構を備えるという手段を講じた。
請求項２では、第１装置もしくは第２装置にストラップを備えたことを特徴とする。
【０００６】
以上の構成によれば、前記第２装置のディスプレイ部を表側に向けて露出させた状態で折り畳むことにことにより、表側に露出したディスプレイ部に種々の画像を表示させることができる。
請求項２では、第１装置もしくは第２装置にストラップを備えたので、吊り下げることができる。
【０００７】
【発明の実施の形態】
以下に、本発明にかかる携帯電話機を、その実施の形態を示した図面に基づいて詳細に説明する。
【０００８】
図１は、前記携帯電話機を開いた状態を示している。
携帯電話機１は、第１装置１１と第２装置１２とから構成されている。
第１装置１１は、ダイヤリング用の数字キーや各種機能キーが配設されたキー入力部２を備えている。
第２装置１２は、カラー液晶表示ユニットを内蔵したディスプレイ部３を備えている。第２装置１２の筐体の一方の面には前記ディスプレイ部３が配設され、他方の面は硬いカバー部材４にて覆われている。
前記第１装置１１と第２装置１２とを連結する連結手段５は、２つの軸によって回動自在に連結されている。
【０００９】
即ち、前記第１装置１１と第２装置１２とを開いた状態の長手方向に平行な第１軸５１と、直交する第２軸５２とによって、図２に示したように、開いた状態で第１軸５１の回りに回動することによって、ディスプレイ部３を前面側に向けたり、背面側に向けたりすることができる。
【００１０】
また、図３に示したように、ディスプレイ部３を前面側に向けた状態もしくは背面側に向けた状態で、第２軸５２の回りに第２装置１２を回動させて折り畳み、図４に示したように、第１装置１１と重ねた状態にすることができる。
【００１１】
このようにして、ディスプレイ部３を前面側に向けた状態で、第２軸５２の回りに第２装置１２を回動させて折り畳み、第１装置１１と重ねた状態にすると、図４に示したように、携帯電話機の前面にディスプレイ部３が露出した状態となる。
この状態で、携帯電話機に内蔵する制御装置によって、種々の画像を前記ディスプレイ部３に表示させると、装飾品としての機能が得られる。
【００１２】
そして、図４に示したように、第１装置１１、第２装置１２、もしくは連結手段５に繋がれたストラップ１３を用いて首から吊り下げて使用すると、ランダムもしくは順次変化する画像が表示されるペンダント状の装飾品として使用することができる。携帯電話機への着信があったり発信したい場合には、第１装置１１と第２装置１２とを開いて通常の携帯電話機として使用することができることは当然である。
首から吊り下げる以外に、室内や車内に吊り下げておくこともできる。
なお、アンテナが第１装置に設けられている場合には、折り畳んだ状態は図５に示したようになる。
【００１３】
前記ディスプレイ部３の制御は、携帯電話機に内蔵する制御装置に書き込まれた表示プログラムによって行われる。この表示プログラムは、所定のパターンを順次繰り返すスクリーンセーバ機能を実現したり、ランダムパターンを表示したり、環境に応じて変化するパターンを表示する機能を実現するとよい。
なお、上記機能は、携帯電話機に限らず、簡易型携帯電話機（ＰＨＳ）や、ハンディトランシーバ等の無線通信機や、携帯情報端末装置（ＰＤＡ）等に採用することができる。
なお、連結手段は、上述した構造に限らず、前記第２装置のディスプレイ部を表側に向けて露出させた状態で折り畳み可能な連結機構であれば、種々の構造を採用することができる。
例えば、軸で連結せずに、一旦分離して反転させてから第２装置のディスプレイ部を表側に向けて露出させた状態で第１装置に重ねて組み合わせるようにしてもよい。
【００１４】
【発明の効果】
本発明の携帯電話機は、通常の携帯電話機としての機能に加えて、もともと備えている高機能なカラーディスプレイ機能を、アクセサリー的な装飾品として使用することができるという効果が得られる。
【図面の簡単な説明】
【図１】本発明にかかる携帯電話機の実施の形態の正面図である。
【図２】前記携帯電話機の第２装置を回転させている状態の正面図である。
【図３】前記携帯電話機の第２装置を反転させて折り畳む操作を説明する図である。
【図４】前記携帯電話機の第２装置を反転させて第１装置に重ねて折り畳んだ状態の正面図である。
【図５】別の携帯の携帯電話機の第２装置を反転させて第１装置に重ねて折り畳んだ状態の正面図である。
【符号の説明】
１　　携帯電話機
１１　第１装置
１２　第２装置
１３　ストラップ
２　　キー入力部
３　　ディスプレイ部
５　　連結手段
５１　第１軸
５２　第２軸
【図１】
2004023713.tif 000003
【図２】
2004023713.tif 000004
【図３】
2004023713.tif 000005
【図４】
2004023713.tif 000006
【図５】
2004023713.tif 000007